(57)【要約】      （修正有）【課題】乳首からの流量を調整することができ、成人から乳幼児に至るまで使用することができるペットボトル用乳首を提供する。【解決手段】ペットボトルの飲み口に装着するように設ける。ペットボトルの飲み口にネジ止めする連結環体１０を設ける。該連結環体１０に装着する乳首本体２０を設ける。乳首本体２０の内部に流量を規制する規制突条２１を突設する。この係止突起２１は、乳首本体２０の内部に螺旋状に突設されている。乳首本体２０の銜え加減で乳首本体２０から排出される流量を調整する。【選択図】図２
0003186222.tif 000002
【実用新案登録請求の範囲】
【請求項１】
ペットボトルの飲み口に装着するペットボトル用乳首において、ペットボトルの飲み口にネジ止めする連結環体と、該連結環体に装着された乳首本体とで構成され、乳首本体の内部に流量を規制する規制突条を突設したことを特徴とするペットボトル用乳首。
【請求項２】
前記係止突起は、前記乳首本体の内部に螺旋状に突設され、前記乳首本体の銜え加減で前記乳首本体の乳頭の先端に形成された開口部から排出される流量が調整されるように構成した請求項１記載のペットボトル用乳首。
【請求項３】
前記連結環体は、前記ペットボトルの使用済みキャップに孔を開けて形成し、該連結環体の外周に前記乳首本体を被着して接合した請求項１記載のペットボトル用乳首。
【考案の詳細な説明】
【技術分野】
【０００１】
本考案は、例えば介護老人などがペットボトルを利用して任意の飲み物を飲むことができるように構成したペットボトル用乳首に関するものである。
【背景技術】
【０００２】
哺乳瓶の乳首とペットボトルの飲み口を連結する連結器具が特許文献１に記載されている。この連結器具は、ペットボトルの飲み口に連結し、哺乳瓶用の乳首をこの連結器具の外側にネジ止めするもので、哺乳瓶を使用している乳幼児に対し、ペットボトルの内容物を哺乳瓶に移しかえることなく、乳幼児にペットボトルの内容物を飲ませることができるように構成したものである。
【先行技術文献】
【特許文献】
【０００３】
【特許文献１】特開２０１２−２４５１８５号公報
【考案の概要】
【考案が解決しようとする課題】
【０００４】
特許文献１のように、ペットボトルの飲み口に連結し、哺乳瓶用の乳首をこの連結器具の外側にネジ止めする構成では、乳幼児用の乳首を使用することはできでも、介護老人のような成人が使用することはできない。
【０００５】
例えば、寝たきりの介護老人や病人等に水分を補給する場合、水差しなどで与えることがある。ところが、電解質を補給する健康飲料やスポーツドリンクなどを与える場合、使用後の水差しなどを十分に洗浄する必要がある。そこで、特許文献１のように、ペットボトルの飲み口から直接水分を供給できる乳首のようなものがあると、介護の手間が省けることになる。
【０００６】
しかしながら、ペットボトルの容量は280ml〜500ml程度のものが多く使用されており、哺乳瓶よりも容量が多い。その上、哺乳瓶のようなガラス製ではないので、柔らかく、変形し易い性質がある。そのため、ペットボトルの飲み口から直接供給する場合、ペットボトルの容量が増えるほど水量が多くなり易い。しかも、ボトルを押して変形すると水圧が高まるので飲み口からの流量が極端に変化するおそれもある。そこで、ペットボトルの飲み口に連結する乳首の構成には、飲み口からの流量を一定に制限できるものが望ましい。
【０００７】
そこで本考案は、上述の課題を解消すべく案出されたもので、ペットボトルの飲み口に連結する乳首において、乳首からの流量を調整することができ、成人から乳幼児に至るまで使用することができるペットボトル用乳首の提供を目的とするものである。
【課題を解決するための手段】
【０００８】
上述の目的を達成すべく本考案における第１の手段は、ペットボトルＰの飲み口に装着するペットボトル用乳首において、ペットボトルＰの飲み口にネジ止めする連結環体１０と、該連結環体１０に装着された乳首本体２０とで構成され、乳首本体２０の内部に流量を規制する規制突条２１を突設したことにある。
【０００９】
第２の手段において、前記係止突起２１は、前記乳首本体２０の内部に螺旋状に突設され、前記乳首本体２０の銜え加減で前記乳首本体２０の乳頭２２に形成された開口部２３から排出される流量が調整されるように構成している。
【００１０】
第３の手段の前記連結環体１０は、前記ペットボトルＰの使用済みキャップに孔を開けて形成し、該連結環体１０の外周に前記乳首本体２０を被着して接合したものである。
【考案の効果】
【００１１】
本考案の請求項１によると、乳首本体２０の内部に流量を規制する規制突条２１を突設したことにより、飲み口からの流量を一定に制限することができる。この結果、ペットボトルの飲み口から直接供給する場合、ペットボトルの容量の増加や、ボトルの変形などで水圧が高まっても、飲み口からの流量を調整することが可能になる。
【００１２】
請求項２のごとく、係止突起２１は、前記乳首本体２０の内部に螺旋状に突設され、前記乳首本体２０の銜え加減で前記乳首本体２０の乳頭２２の先端に形成された開口部２３から排出される流量が調整されるように構成したことで、使用者は、直感的に好みの流量で吸い込むことができる。
【００１３】
この結果、乳頭２２からの流量を調整することができ、成人から乳幼児に至るまで使用することが可能になる。したがって、寝たきりの介護老人や病人等に水分や電解質を補給する場合、健康飲料やスポーツドリンクなどをペットボトルＰから直接与えることができる。
【００１４】
請求項３のように、連結環体１０は、前記ペットボトルＰの使用済みキャップに孔１１を開けて形成し、該連結環体１０の外周に前記乳首本体２０を被着して接合したことで、使用済みキャップを再利用することが可能になり、省資源化の効果がある。
【図面の簡単な説明】
【００１５】
【図１】本考案の使用状態を示す正面図である。
【図２】本考案の一実施例を示す断面図である。
【図３】本考案の他の実施例を示す正面図である。使用状態を示す側面図である。
【考案を実施するための形態】
【００１６】
本考案によると、ペットボトルの飲み口に連結する乳首において、乳首からの流量を調整することができ、成人から乳幼児に至るまで使用することができるなどといった当初の目的を達成した。
【００１７】
本考案は、ペットボトルＰの飲み口に装着するもので、基本構成は、連結環体１０と乳首本体２０とで形成されている（図１参照）。
【００１８】
連結環体１０は、ペットボトルＰの飲み口にネジ止めする環体状の部材である。この連結環体１０は、プラスチック成型などで新規に成形するほか、使用済みのキャップを利用することも可能である。
【００１９】
たとえば、ペットボトルＰの使用済みのキャップを回収し、各キャップの中央部に孔１１を開けて連結環体１０とするものである（図１参照）。この場合、連結環体１０の外周に乳首本体２０を被着して接着するものとする。
【００２０】
また、使用済みキャップとは別に連結環体１０を形成し、乳首本体２０を装着しても良い。このとき、乳首本体２０への装着手段は任意に変更することができる。図１は、乳首本体２０をカバー３０で覆った状態を示している。こうすることで、衛生的な使用が可能になるものである。
【００２１】
乳首本体２０は、該連結環体１０に装着される部材で、乳幼児の使用する乳首や成人が使用するサイズの乳首などに設定することができる。そして、この乳首本体２０の内部に流量を規制する規制突条２１を突設する。
【００２２】
この係止突起２１は、乳首本体２０の内部に螺旋状に突設している（図２参照）。そして、乳首本体２０の銜え加減で前記乳首本体２０の乳頭２２の先端に形成された開口部２３から排出される流量が調整されるように構成したものである。これらの乳頭２２や開口部２３は、規制突条２１と共に、成人用又は乳幼児用でサイズが異なるものである。また、規制突条２１は乳頭２２の開口部２３近くまで形成しても良い。
【００２３】
図３は、乳首本体２０の形状を略乳房状に形成したものである。そして、連結環体１０に被着する連結体２４を設けたものである。このような乳首本体２０を形成することで、乳幼児にとって母親からの授乳に似せた使用が可能になる。また、介護老人のなかでも、特に幼児化した老人に対して安心感を与えることが可能になる。
【００２４】
尚、本考案の連結環体１０や乳首本体２０の構成は図示例に限定されるものではなく、本考案の要旨を変更しない範囲で自由に設計変更できるものである。
【符号の説明】
【００２５】
Ｐ  ペットボトル
１０  連結環体
１１  孔
２０  乳首本体
２１  規制突条
２２  乳頭
２３  開口部
２４  連結体
３０  カバー
【図１】
0003186222.tif 000003
【図２】
0003186222.tif 000004
【図３】
0003186222.tif 000005
【手続補正書】
【提出日】平成25年7月24日(2013.7.24)
【手続補正１】
【補正対象書類名】実用新案登録請求の範囲
【補正対象項目名】請求項２
【補正方法】変更
【補正の内容】
【請求項２】
前記規制突条は、前記乳首本体の内部に螺旋状に突設され、前記乳首本体の銜え加減で前記乳首本体の乳頭の先端に形成された開口部から排出される流量が調整されるように構成した請求項１記載のペットボトル用乳首。
【手続補正２】
【補正対象書類名】明細書
【補正対象項目名】０００９
【補正方法】変更
【補正の内容】
【０００９】
第２の手段において、前記規制突条２１は、前記乳首本体２０の内部に螺旋状に突設され、前記乳首本体２０の銜え加減で前記乳首本体２０の乳頭２２に形成された開口部２３から排出される流量が調整されるように構成している。
【手続補正３】
【補正対象書類名】明細書
【補正対象項目名】００２２
【補正方法】変更
【補正の内容】
【００２２】
この規制突条２１は、乳首本体２０の内部に螺旋状に突設している（図２参照）。そして、乳首本体２０の銜え加減で前記乳首本体２０の乳頭２２の先端に形成された開口部２３から排出される流量が調整されるように構成したものである。これらの乳頭２２や開口部２３は、規制突条２１と共に、成人用又は乳幼児用でサイズが異なるものである。また、規制突条２１は乳頭２２の開口部２３近くまで形成しても良い。